(57)【要約】      （修正有）【課題】ベッドに寝かされた人を、抱きかかえて車椅子に移す必要がなく、力を必要とせずに移動可能な介護用マットレスシステムを提供する。【解決手段】床面に対し平行に伸びたアーム３１及び３２とこれらのアームを上下可動する支柱３３と支柱を支える台座３５と台座に取り付けられた車輪３６とを備えた移動装置３と、側面にアーム３１及び３２を挿入する挿入部１０ｅ及び１０ｆを備えた移動マットレス１０と移動マットレスの長手方向の端面に隣接して配置する補助マットレス１３、１４及び１５からなる変形移動マットレス１と、を有する。移動マットレスは、足座１０ｃ、腰掛部１０ｂ及び背もたれ１０ａを主に有する。移動マットレスに移動装置のアームを装着することによって、移動マットレス部分のみをベッドから分離させて移動させることができるので、ベッド上の人間を抱きかかえて車椅子に移す必要がない。【選択図】図１
0003191334.tif 000002
【実用新案登録請求の範囲】
【請求項１】
床面に対し平行に伸びたアームと前記アームを上下する支柱と前記支柱を支える台座と前記台座に取り付けられた車輪とを備えた移動装置と、
側面に前記アームを挿入する挿入部を備えた移動マットレスと前記移動マットレスの長手方向の端面に隣接して配置する補助マットレスからなる変形移動マットレスと、
を有することを特徴とする介護用マットレスシステム。
【請求項２】
前記移動マットレスは、座ることができる大きさの腰掛部と、前記腰掛部に隣接して設けられ、前記腰掛部との境界に設けられた回転軸を有する接続具によって回転可能に接続され所定角度で固定可能な足座部と、前記腰掛部の前記足座部が設けられた側とは反対側に隣接して設けられ、前記腰掛部との境界に設けられた回転軸を有する接続具によって回転可能に接続され所定角度で固定可能な背もたれ部とを備えたことを特徴とする介護用マットレスシステム。
【請求項３】
前記移動マットレスの前記挿入部は、前記移動マットレスの対向する側面を貫通した孔であることを特徴とする請求項１または請求項２に記載の介護用マットレスシステム。
【請求項４】
前記移動装置の前記アームは前記支柱の高さより低い位置になるよう取り付けられたことを特徴とする請求項１から請求項３いずれか１つに記載の介護用マットレスシステム。
【考案の詳細な説明】
【技術分野】
【０００１】
この考案は、ベッドに寝ている高齢者や病人を、抱きかかえて車椅子に移す作業なしに高齢者や病人を移動させることができる介護マットレスシステムに関する。
【背景技術】
【０００２】
寝たきりの高齢者や病人を、ベッド上からトイレや食堂等に移動させるには、介護者や病人を介護者が抱きかかえて車椅子に乗せ、車椅子を押してトイレや食堂に連れていく必要がある。高齢者や病人を抱きかかえて車椅子に乗せる作業は、介護者にとって大変負荷のかかる作業であり、腰を痛めてしまう介護者も多い。
【先行技術文献】
【特許文献】
【０００３】
【特許文献１】実用新案登録第３１８８７４１号
【考案の概要】
【考案が解決しようとする課題】
【０００４】
そこで、ベッドに寝ている高齢者や病人を移動させやすくするため、ベッドの脚に車輪を取り付けたストレッチャーや、特許文献１の担架機能付きベッドが考案されている。ベッドの脚に車輪を取り付けたストレッチャーは、高齢者や病人を抱きかかえて車椅子に移動させる必要がなく、ベッドに寝かせたまま運搬することができるが、重量があり寸法の大きなベッドを移動させることは介護者１人では困難であり、狭い通路は通れない。また、特許文献１の担架機能つきベッドは、ストレッチャーより若干小型化されているが、重量のあるベッドの両端を人力で持ち上げて運搬する必要があるため、介護者一人で運搬することはできず、最低２名の運搬者が必要である。
【０００５】
そこで、この考案の目的は、ベッドから車椅子に乗せかえる作業が不要で、運搬者への負担が少なく、また、狭い通路でも高齢者や病人を移動させることができる介護マットレスシステムを提供する。
【課題を解決するための手段】
【０００６】
本考案の介護マットレスシステムは、床面に対し平行に伸びたアームと前記アームを上下する支柱と前記支柱を支える台座と前記台座に取り付けられた車輪とを備えた移動装置と、側面に前記アームを挿入する挿入部を備えた移動マットレスと前記移動マットレスの長手方向の端面に隣接して配置する補助マットレスからなる変形移動マットレスと、を有することを特徴とする。
【０００７】
この考案によれば、移動マットレスと補助マットレスをベッド上に並べて敷き、その上に横たわることによって、普段はベッドのように使用でき、ベッド上の人間を移動させたい時は、移動マットレスの側面に設けられた挿入部に、移動装置のアームを挿入して移動マットレスを移動装置に装着することによって、移動マットレス部分のみをベッドから分離させて移動させることができるので、ベッド上の人間を抱きかかえて車椅子に移す必要がない。運搬者が一人で済み、腰への負担も少なく、楽に移動させることができる。さらに、移動手段のアームは、様々な高さに固定して使用できるため、様々な高さのベッドに対応可能である。移動手段は、移動時にだけ使用するので、使わないときは、支柱の高さを一番低い位置で固定しておけば、ベッド下に収納することもでき、収納スペースも小さくて済む。介護施設や病院等で、色々な高さのベッドが複数使用されているときでも、移動装置は１つあれば複数のベッドで使用できるため、コスト削減につながる。
【０００８】
また、この考案の介護用マットレスシステムの移動マットレスは、座ることができる大きさの腰掛部と、前記腰掛部に隣接して設けられ、前記腰掛部との境界に設けられた回転軸を有する接続具によって回転可能に接続され所定角度で固定可能な足座部と、前記腰掛部の前記足座部が設けられた側とは反対側に隣接して設けられ、前記腰掛部との境界に設けられた回転軸を有する接続具によって回転可能に接続され所定角度で固定可能な背もたれ部とを備えたことを特徴とする。
【０００９】
この考案によれば、移動マットレスの背もたれを起し、移動装置で移動マットレスをベッドから分離させた後で、足座部を下方に下ろせば、ベッド上に横たわっていた人を、移動マットレスの腰掛部に座らせた姿勢で運搬することができる。ベッド上に寝かされたまま運搬するより、座った姿勢で運搬されるほうが、前方が良く見えて、気分転換になる。また、ベッドよりもコンパクトなので、エレベーターにも載せやすく、外に出て道路を移動することも気軽に行えるため、外の空気や景色を楽しむこともできる。
【００１０】
また、この考案の介護用マットレスシステムの移動マットレスの前記挿入部は、前記移動マットレスの対向する側面を貫通した孔であることを特徴とする。
【００１１】
この考案によれば、移動マットレス側面に設けられた挿入孔が対向する側面まで貫通しているので、移動マットレスのどちらの側面からでも移動装置のアームを挿入することができる。複数のベッドに対応できるだけでなく、いかなるベッドの方向、位置に対しても１つの移動装置で対応できるので、部屋の形状やベッドの配置等に柔軟に対応でき、簡単かつ迅速に介護者を移動させることができる。
【００１２】
また、この考案の介護用マットレスシステムの移動装置の前記アームは、前記支柱の高さより低い位置になるよう取り付けられたことを特徴とする。
【００１３】
この考案によれば、移動装置のアームを床面すれすれまで低くできるので、ベッド上ではなく床に直接マットレスを載置して使用することもでき、ベッドの置けない部屋や和室でも使用可能である。
【図面の簡単な説明】
【００１４】
【図１】この考案の実施の形態１にかかる介護マットレスシステムを示す斜視図である。
【図２】図１に示した介護マットレスシステムの上面図である。
【図３】図１に示した変形移動マットレス１の構成を示す説明図である。
【図４】図１に示した変形移動マットレス１の斜視図である。
【図５】図１に示した変形移動マットレスの移動マットレスの背もたれを起した参考斜視図である。
【図６】図１に示した移動装置であって（ａ）は支柱を低くした状態、（ｂ）は支柱を高くした状態を示す参考図である。
【図７】図１に示した介護マットレスシステムにおいて、移動装置を移動マットレス１０に装着する手順を示す説明図である。
【図８】図１に示した介護マットレスシステムにおいて、移動マットレスに移動装置を装着した状態を示す説明図である。
【図９】図１に示した介護マットレスシステムにおいて、ベッドから移動マットレスを移動装置によって移動させた状態を示す説明図である。
【図１０】図１に示した変形移動マットレスに被介護者が横たわっている状態を示す参考図である。
【図１１】図１に示した介護マットレスシステムにおいて、移動マットレス上の被介護者を移動させる手順を説明する参考図である。
【図１２】図１に示した介護マットレスシステムにおいて、移動マットレス上の被介護者を移動させる手順を説明する参考図である。
【図１３】図１に示した介護マットレスシステムにおいて、移動マットレス上の被介護者を移動させている状態を説明する参考図である。
【図１４】この考案の実施の形態２にかかる介護マットレスシステムにおいて、移動マットレスの背もたれを起した状態を示す参考斜視図である。
【図１５】図１４に示した介護マットレスシステムにおける移動装置の斜視図であって（ａ）は、支柱を高くした状態を示し、（ｂ）は支柱を低くした状態を示す斜視図である。
【図１６】図１４に示した介護マットレスシステムにおいて、移動装置を移動マットレスに装着した状態を示す参考斜視図である。
【図１７】図１４に示した介護マットレスシステムにおいて、移動装置を移動マットレスに装着し変形移動マットレスを移動させる手順を示す説明図である。
【図１８】図１４に示した介護マットレスシステムにおいて、移動装置を移動マットレスに装着して移動させる手順を示す説明図である。
【考案を実施するための形態】
【００１５】
（実施の形態１）
図１は、この考案の実施の形態１にかかる介護マットレスシステム１００を示す斜視図であり、図２は、図１に示した介護マットレスシステム１００の上面図である。図３は、図１に示した変形移動マットレス１の構成を示す説明図である。
【００１６】
図１に示すように、この介護マットレスシステム１００は、変形移動マットレス１と移動装置３からなる。変形移動マットレス１は、移動マットレス１０と補助マットレス１３、１４及び１５からなる。変形移動マットレスは、ベッドフレーム２上に載置することができる。移動マットレス１０は、足座１０ｃ、腰掛部１０ｂ及び背もたれ１０ａを主に有する。移動装置３は、２本の細長いアーム３１、３２を有し、アーム３１及び３２を上下するための支柱３３と支柱３３を固定するための台座３５を主に有する。
【００１７】
移動装置３は、床面に対し平行に伸びた二本の細長い平板形状のアーム３１及び３２を有し、アーム３１及び３２は、支柱３３によって所定高さで台座３５に固定されている。アーム３１及び３２の素材は、鉄製が最適であるが、ステンレス、アルミその他の金属製でも良い。強度を保つため、鉄製の場合は厚みを４ミリメートル以上、ステンレスやアルミ製の場合は６ミリメートル以上とするのが良い。アーム３１及び３２の厚みを、４ミリメートル未満の鉄製または６ミリメートル未満のステンレスやアルミ製とする場合は、アーム３１及び３２の表面にリブを設けて補強すると良い。また、鉄、ステンレス又はアルミ製の骨組みの周りをクッション素材で覆ってアーム３１及び３２としても良い。
【００１８】
支柱３３、台座３５も鉄その他の金属製である。支柱３３は、伸縮可能となっており、高さ調整ハンドル３４によって高さを調整できる。台座３５の裏側（換言すると床面に接する側）には、四隅に車輪３６が設けられており、車輪３６を転がして移動装置３を移動させることができるようになっている。
【００１９】
図２に示すように、ベッドフレーム２の上には、短辺両側に、略長方形状の補助マットレス１３及び１５が敷かれており、その間に、ベッドフレーム２の長手方向に沿って細長い補助マットレス１４が敷かれている。すなわち、補助マットレス１３、１４及び１５の３つの補助マットレスが、コの字を形成するように敷かれている。移動マットレス１０は、補助マットレス１３、１４及び１５によって形成されたコの字の内側に収まるように載置されている。
【００２０】
移動装置３は、上面視、細長い長方形状のアーム３１及び３２が、二本突出したコの字形状となっている。アーム３１及び３２のそれぞれの先端は先細の形状となっている。アーム３１及び３２は、鉄、ステンレス、アルミその他の強度の高い素材からなる。
【００２１】
図３に示すように、ベッドフレーム２の上には、変形移動マットレス１を載置できるようになっており、補助マットレスと１３．１４、１５及び移動マットレス１０は、それぞれ、取り外し可能である。
【００２２】
移動マットレス１０の腰掛部１０ｂの側面には、挿入部１０ｅ、１０ｆが設けられている。挿入部１０ｅ及び１０ｆはトンネル形状の孔であり、対向する側面まで貫通している。挿入部１０ｅ、１０ｆの孔の直径は、移動装置３のアーム３１及び３２が挿入できる大きさとなっている。挿入部１０ｅ及び１０ｆは、貫通した孔であるので、移動装置３のアーム３１及び３２は、移動マットレスの長手方向側面どちらからも挿入が可能となっている。移動マットレス１０は、ウレタンその他の中材をポリエステルその他の布からなる表地で覆った構造であり、挿入部１０ｅ、１０ｆの部分は、金属製の中空長方体やプラスチック製の筒状物を移動マットレス１０の側面に差し込んで形成する。
【００２３】
図４は、図１に示した変形移動マットレス１の斜視図であり、図５は、図１に示した変形移動マットレス１の移動マットレス１０の背もたれ１０ａを起した参考斜視図である。図４に示すように、移動マットレス１０は、３つの補助マットレス１３、１４及び１５によって形成されたコの字の内側に、ちょうど嵌る大きさとなっている。また、移動マットレス１０、補助マットレス１３、１４及び１５の高さは、すべて同じ高さとなっていて、ベッドフレーム２の上に補助マットレス１３、１４、１５及び移動マットレス１０を載置すると、一体の平らな布団マットレスとすることができる。
【００２４】
図５に示すように、移動マットレス１０は、足座１０ｃ、腰掛部１０ｂ及び背もたれ１０ａからなり、足座１０ｃと腰掛部１０ｂの境界及び腰掛部１０ｂと背もたれ１０ａの境界には、内部に、回転軸を有する接続具が内蔵されている。背もたれ１０ａは、腰掛部１０ｂとの境界を軸として上方または下方に０度から９０度の間で回転可能となっており、所定角度で段階的にロック可能となっている。足座１０ｃも、背もたれ１０ａと同様、腰掛部１０ｂとの境界を軸として上方または下方に０度から９０度の間で回転可能となっており、所定角度で段階的にロック可能となっている。
【００２５】
図６は、図１に示した移動装置３であって（ａ）は支柱３３を低くした状態、（ｂ）は支柱３３を高くした状態を示す参考図である。図６に示すように、移動装置３は、床面に対し平行な角度に伸びた、細長い平板形状のアーム３１、３２を支柱３３によって台座３５に固定した構造となっている。支柱３３には高さ調整ハンドル３４が取り付けられており、高さ調整ハンドルを回すことによって、支柱３３の高さが変更可能となっている。図６（ａ）は、支柱３３を低くした状態を示し、（ｂ）は高さ調整ハンドル３４を回して支柱３３を高くした状態を示す。
【００２６】
移動装置３の台座３５は、略コの字形状となっており、裏側（換言すると床に面した側）には、車輪３６が四箇所取り付けられている。台座３５は、本実施の形態では略コの字形状となっているが、支柱３３及びアーム３１、３２を安定して支えられる形状であれば他の形状でも良い。正方形や長方形でも良いし、平たい円形状でも良いし、また、三角形や多角形の台座としても良い。
【００２７】
図７は、図１に示した介護マットレスシステム１００において、移動装置３を移動マットレス１０に装着する手順を示す説明図であり、図８は、図１に示した介護マットレスシステム１００において、移動マットレス１０に移動装置３を装着した状態を示す説明図である。図９は、図１に示した介護マットレスシステム１００において、ベッドから移動マットレス１０を移動装置３によって移動させた状態を示す説明図である。
【００２８】
図７のように、移動マットレス１０の挿入部１０ｅ及び１０ｆは、移動装置３のアーム３１及び３２がぴったりと嵌るサイズの挿入部となっている。移動装置３の柱３３の高さを調節して、アーム３１及び３２の高さが、移動マットレス１０の挿入部１０ｅ及び１０ｆと同じ高さになるようにしたうえで、移動装置３をベッドフレーム２に近づけて、移動装置３のアーム３１及び３２を、移動マットレス１０の腰掛部１０ｂの側面に設けられた挿入部１０ｅ及び１０ｆに挿入する。
【００２９】
図８は、移動装置３のアーム３１及び３２を腰掛部１０ｂの挿入部１０ｅ及び１０ｆに挿入した状態を示す。移動マットレス１０の挿入部１０ｅ及び１０ｆの孔の直径は、移動装置３のアーム３１及び３２の直径と略同じか、すこし大きめの直径となっている。移動装置３のアーム３１及び３２は、移動マットレス１０の腰掛部１０ｂ側面に設けられた挿入部１０ｅ及び１０ｆに、ぴったりと嵌めることができるので、移動装置３に移動マットレス１０をしっかりと装着させることができる。また、移動マットレス１０の挿入部１０ｅ及び１０ｆは、貫通した孔であるので、移動装置３のアーム３１及び３２は、移動マットレス１０の長手方向どちらの側面から挿入しても良い。
【００３０】
移動装置３のアーム３１及び３２を、移動マットレス１０に装着した状態で、まず、高さ調整ハンドル３４を回して支柱３３の高さを少し高くして、移動マットレス１０を周囲の補助マットレス１３、１４及び１５よりも高くする。それから、図９に示すように、ゆっくりと移動装置３を手前（矢印方向）に移動させると、移動マットレス１０がベッドフレーム２から離れる。移動装置３の台座３５の裏側には車輪３６が取り付けられているので、移動装置３を押すと、車輪３６が回転し、移動マットレス１０と移動装置３を、自由に移動させることができる。移動マットレス１０の足座１０ｃと腰掛部１０ｂとの境界部分には、内部に、回転軸を有する接続具が内蔵されている。足座１０ｃは、背もたれ１０ａと同様、腰掛部１０ｂとの境界を軸として上方または下方に０度から９０度の間で回転可能となっており、所定角度で段階的にロック可能となっている。
【００３１】
次に、図１０から図１３を示しながら、本考案の介護マットレスシステム１００の使用方法について説明する。
【００３２】
図１０は、図１に示した変形移動マットレス１に被介護者が横たわっている状態を示す参考図である。図１１は、図１に示した介護マットレスシステム１００において、変形移動マットレス１上の被介護者を移動させる手順を説明する参考図である。図１２は、図１に示した介護マットレスシステム１００において、変形移動マットレス１上の被介護者を移動させる手順を説明する参考図である。図１３は、図１に示した介護マットレスシステム１００において、変形移動マットレス１上の被介護者を移動させている状態を説明する参考図である。
【００３３】
図１０に示すように、ベッドフレーム２の上に載置された補助マットレス１３、１４及び１５と、移動マットレス１０は、全て同じ高さとなっており、ベッドフレーム２に隙間なく、ぴったりと敷き詰めることができるので、ベッドフレーム２に変形移動マットレス１を載置した状態では、通常のベッドと同じように使用できる。被介護者は、ベッドフレーム２の上の変形移動マッド１の上に、横たわっている。
【００３４】
図１１に示すように、被介護者を移動させようとする場合には、まず、被介護者に、上半身を起してもらい、腰掛部１０ｂの上に座ってもらったうえで、移動マットレス１０の背もたれ１０ａを腰掛部１０ｂに対し垂直方向に起す。
【００３５】
そして、図１２に示すように、移動装置３をベッドフレーム２の近傍に持ってくる。それから、移動装置３の高さ調整ハンドル３４を回して、アーム３１及び３２が、移動マットレス１０の腰掛部１０ｂ側面に設けられた挿入部１０ｅ及び１０ｆと同じ高さになるように支柱３３の高さを調整する。調節できたら、移動装置３をベッドフレーム２に更に近づけて、移動装置３のアーム３１、３２を、移動マットレス１０の腰掛部１０ｂに設けられた挿入部１０ｅ、１０ｆに、それぞれ、奥までしっかりと挿入して、移動装置３に移動マットレス１０を装着する。
【００３６】
移動装置３に移動マットレス１０が装着できたら、移動装置３の高さ調整ハンドルをまわして支柱３３をすこし高くし、移動マットレス１０が周囲の補助マットレス１３、１４及び１５よりも高い位置にくるようにする。移動マットレス１０を補助マットレス１３、１４及び１５よりも高くすることにより、移動マットレス１０が、補助マットレス１３、１４及び１５の側面と摩擦を生じないようになり、移動装置３で移動マットレス１０を移動させやすくなる。それから、移動マットレス１０が装着された移動装置３のアーム３１及び３２を、ゆっくりと手前に移動させる。
【００３７】
図１３に示すように、移動マットレス１０が装着された移動装置３を、介護者Ｈがゆっくりと押すことにより、移動装置３の上の移動マットレス１０に座った被介護者Ｐを、トイレや食堂等に移動させることができる。移動装置３には車輪３６が取り付けられているため、小さい力でも楽に移動させることが可能である。被介護者Ｐを移動させるため、ベッドから抱きかかえて車椅子に乗せる作業は、介護者に加重な負担がかかり、介護者が腰を痛める原因にもなるが、本考案の介護マットレスシステム１００によれば、被介護者を抱えて移動させる必要がなく、腰を痛めることがなく、また、移動時も大きな力を必要としないので、被介護者の移動を楽に行うことができる。
【００３８】
本実施の形態１では、ベッドフレーム２の上に、補助マットレス１３、１４、１５及び移動マットレス１０を載置する構成としたが、補助マットレス１３、１４及び１５及び移動マットレス１０は、ベッドの上ではなく、マットレスその他を敷いた上に載置しても良い。移動装置３は、支柱３３の高さが調節可能であるため、支柱３３を低くして使用すれば、移動マットレス１０が低い位置にあっても装着して移動させることが可能である。
【００３９】
（実施の形態２）
次に、図１４から図１８を参照して、実施の形態２にかかる介護マットレスシステム２００について説明する。図１４は、この考案の実施の形態２にかかる介護マットレスシステム２００の移動マットレス１０の背もたれ１０ａを起した状態を示す参考斜視図であり、図１５は、図１４に示した介護マットレスシステム２００における移動装置３の斜視図であって（ａ）は、支柱３３を高くした状態を示し、（ｂ）は支柱３３を低くした状態を示す斜視図である。図１６は、図１４に示した介護マットレスシステム２００において、移動装置３を移動マットレス１０に装着した状態を示す参考斜視図であって、図１７及び図１８は、図１４に示した介護マットレスシステム２００において、移動装置３を移動マットレス１０に装着し移動させる手順を示す説明図である。
【００４０】
実施の形態２にかかる介護マットレスシステム２００は、ベッド上ではなく、床の上に移動マットレス１０と補助マットレス１３、１４及び１５を直接載置して使用できる。在宅介護その他で、ベッドがなく、畳の上や床の上に直接布団を敷いて高齢者や病人が寝ているような場合に、介護者の負担が少なく済む介護マットレスシステム２００である。
【００４１】
図１４に示すように、移動マットレス１０は、コの字形に敷かれた補助マットレス１３、１４及び１５のコの字の内側に収まるように載置して使用する。移動マットレス１０は、腰掛部１０ｂ、背もたれ１０ａ、足座１０ｃ及び１０ｄからなる。実施の形態２では、移動マットレス１０の背もたれ１０ａと腰掛部１０ｂとの境界部分に加えて、さらに、足座１０ｃと足座１０ｄとの境界部分にも、回転軸を有する接続具が内蔵されている。背もたれ１０ａは、腰掛部１０ｂとの境界を軸として回転可能となっており、腰掛部１０ｂと足座１０ｃの境界及び足座１０ｃと足座１０ｄの境界も、それぞれの境界部分を軸として回転可能となっている。背もたれ１０ａ、足座１０ｃ及び足座１０ｄは、所定角度で段階的にロック可能である。
【００４２】
移動マットレス１０において、足座１０ｃ及び足座１０ｄ以外の部分は実施の形態１の移動マットレス１０と同じ構成である。移動マットレス１０の腰掛部１０ｂ側面には、挿入部１０ｅ及び１０ｆが設けられている。挿入部１０ｅ及び１０ｆは、後述の移動装置３のアーム３１及び３２が奥まで挿入できる奥行きを有している。補助マットレス１３、１４及び１５の形状は、実施の形態１と同じであるため説明を省略する。
【００４３】
ベッドフレーム２の補助マットレス１３、１４及び１５の高さは、すべて同じ高さとなっている。移動マットレス１０の背もたれ１０ａ、足座１０ｃ及び足座１０ｄを平らにすると、補助マットレス１３、１４、１５及び移動マットレス１０は全て同じ高さとなり、一体の平らな布団マットレスとして使用できる。
【００４４】
図１５に示すように、実施の形態２の移動装置３は、床面に対し平行な角度に伸びた、細長い平板形状のアーム３１及びアーム３２が、アーム取り付け部３７によって支柱３３に取り付けられている。実施の形態１では、アーム３１及び３２は、支柱３３の上側先端と同じ高さとなるよう取り付けられていたが、実施の形態２では、アーム取り付け部３７によって、アーム３１及び３２が支柱３３よりも低い位置にくるように取り付けられている。
【００４５】
支柱３３には高さ調整ハンドル３４が取り付けられており、高さ調整ハンドルを回すと、支柱３３が伸縮し、支柱３３の高さを変更できる。支柱３３の高さを変更することにより、支柱３３に取り付けられたアーム取り付け部３７、アーム３１及び３２の高さも連動して変動する。図１５（ａ）は、支柱３３を高くして、アーム３１及び３２を高くした状態を示し、（ｂ）は支柱３３を低くして、アーム３１及び３２を低くした状態を示す。実施の形態２では、高さ調整ハンドル３４をまわして支柱３３を一番低くすると、アーム３１及び３２が床面に接するくらいまで低くすることができる。台座３５は、コの字形状となっており、アーム３１及び３２を低くしたときに、互いに接触しないようになっている。
【００４６】
次に、図１６から図１８を示しながら、実施の形態２の移動マットレス１０を移動装置３に装着して移動させる方法を説明する。まず最初に、図１６のように、移動マットレス１０の背もたれ１０ａと足座１０ｃを起して、床面との間にスペースができるようにする。次に、移動装置３の柱３３の高さが一番低くなるよう調節して、アーム３１及び３２の高さが、床面すれすれの高さになるようにする。そして、移動装置３を移動マットレス１０に近づけ、床面と背もたれ１０ａとの間及び床面と足座１０ｃとの間に台座３５を差し入れて、アーム３１及び３２を、移動マットレス１０の挿入部１０ｅ及び１０ｆに挿入する。
【００４７】
移動マットレス１０を移動装置３に装着できたら、図１７に示すように、移動装置３の高さ調整ハンドルをゆっくりと回して支柱３３を少し高くする。移動マットレス１０を少し高くすることによって、移動マットレス１０が浮き、補助マットレス１３、１４及び１５の側面と摩擦を生じなくなるため、移動装置３で移動マットレス１０を移動させやすくなる。
【００４８】
次に、移動マットレス１０をすこし浮かせた状態で、移動マットレス１０が装着された移動装置３のアーム３１及び３２を、ゆっくりと手前に移動させる。移動装置３の台座３５の裏側には車輪３６が取り付けられているので、移動装置３を押すと、車輪３６が回転し、移動マットレス１０と移動装置を、自由に移動させることができる。したがって、移動マットレス１０の上に、高齢者等を座らせたうえで移動装置３を装着すれば、介護者が高齢者等を抱きかかえて車椅子に乗せ替える作業を要さず、高齢者等を、トイレや居間等の移動させることができる。
【００４９】
布団の上に寝ている高齢者や病人を持ち上げて車椅子に移動させることは、大変体力の要る作業であり、介護者に大変な負担がかかる。この実施の形態２の介護マットレスシステムによれば、介護者の負担が少なく、高齢者を楽に移動させることができる。また、高齢者等にとっては、座った姿勢で移動できるため、寝たままの状態で移動するストレッチャーに乗せられて移動するより、外の景色が良く見えて快適に移動でき、気分転換にもなる。
【００５０】
本実施の形態２では、アーム３１及び３２の二本のアームを移動マットレス１０の挿入部１０ｅ及び１０ｆに挿入して、移動マットレス１０を移動装置３に装着する構成としたが、アームは二本に限定されることはなく、三本のアームを変形移動マットレスに設けた３つの挿入部に挿入して装着させる構成としても良いし、幅の広い板形状の一本のアームを変形移動マットレスに設けた幅広の１つの挿入部に挿入して装着させる構成としても良い。また、平板形状のアームではなく、かぎ爪のように湾曲したアームとしても良い。
【００５１】
本実施の形態では、挿入部１０ｅ及び１０ｆは、移動マットレス１０の側面に設けられた貫通した孔であるが、挿入部１０ｅ及び１０ｆは、移動装置３のアーム３１及び３２が装着できるような形状であれば良く、例えば移動マットレス１０の下側面にアーム３１及び３２が嵌るような溝を設けて、挿入部１０ｅ及び１０ｆとしても良い。
【符号の説明】
【００５２】
１  変形移動マットレス
１０  移動マットレス
１０ａ  背もたれ
１０ｂ  腰掛部
１０ｃ  足座
１０ｄ  足座
１０ｅ、１０ｆ  挿入部
１３、１４、１５  補助マットレス
２  ベッドフレーム
３  移動装置
３１、３２  アーム
３３  支柱
３４  高さ調整ハンドル
３５  台座
３６  車輪
３７  アーム取り付け部
Ｐ  被介護者
Ｈ  介護者
【図１】
0003191334.tif 000003
【図２】
0003191334.tif 000004
【図３】
0003191334.tif 000005
【図４】
0003191334.tif 000006
【図５】
0003191334.tif 000007
【図６】
0003191334.tif 000008
【図７】
0003191334.tif 000009
【図８】
0003191334.tif 000010
【図９】
0003191334.tif 000011
【図１０】
0003191334.tif 000012
【図１１】
0003191334.tif 000013
【図１２】
0003191334.tif 000014
【図１３】
0003191334.tif 000015
【図１４】
0003191334.tif 000016
【図１５】
0003191334.tif 000017
【図１６】
0003191334.tif 000018
【図１７】
0003191334.tif 000019
【図１８】
0003191334.tif 000020
【手続補正書】
【提出日】平成26年4月10日(2014.4.10)
【手続補正１】
【補正対象書類名】実用新案登録請求の範囲
【補正対象項目名】全文
【補正方法】変更
【補正の内容】
【実用新案登録請求の範囲】
【請求項１】
床面に対し平行に伸びたアームと前記アームを上下する支柱と前記支柱を支える台座と前記台座に取り付けられた車輪とを備えた移動装置と、
側面に前記アームを挿入する挿入部を備えた移動マットレスと前記移動マットレスの長手方向の端面に隣接して配置する補助マットレスからなる変形移動マットレスと、
を有することを特徴とする介護用マットレスシステム。
【請求項２】
前記移動マットレスは、座ることができる大きさの腰掛部と、前記腰掛部に隣接して設けられ、前記腰掛部との境界に設けられた回転軸を有する接続具によって回転可能に接続され所定角度で固定可能な足座部と、前記腰掛部の前記足座部が設けられた側とは反対側に隣接して設けられ、前記腰掛部との境界に設けられた回転軸を有する接続具によって回転可能に接続され所定角度で固定可能な背もたれ部とを備えたことを特徴とする請求項１に記載の介護用マットレスシステム。
【請求項３】
前記移動マットレスの前記挿入部は、前記移動マットレスの対向する側面を貫通した孔であることを特徴とする請求項１または請求項２に記載の介護用マットレスシステム。
【請求項４】
前記移動装置の前記アームは前記支柱の高さより低い位置になるよう取り付けられたことを特徴とする請求項１から請求項３いずれか１つに記載の介護用マットレスシステム。